(57)【特許請求の範囲】
【請求項１】
下方に漸次縮径させた給餌槽本体と、下方に漸次拡径させた揺動体とからなる給餌槽を設け、前記給餌槽本体の上端部より垂下した餌量調整機構の支持杆の下端を前記揺動体に固着し、前記給餌槽本体の下端部を前記揺動体の上端部に挿入した状態で前記揺動体を垂下し、側壁部、後壁部及び底皿部を有する餌受台を設け、前記給餌槽本体を前記餌受台に固定するとともに、前記底皿部に形成した隆起部上に円錐状部と円板状部とからなる餌排出案内部材を固着し、前記円錐状部を前記揺動体の下端部に挿入してなる養豚用給餌器であって、豚が鼻、口で前記揺動体を押圧することによって、前記揺動体が前後左右に揺動するとともに、前記揺動体の上端部が前記給餌槽本体の下端部に衝突することを特徴とする養豚用給餌器。
【発明の詳細な説明】
【０００１】
【発明の属する技術分野】
本発明は、豚に餌を与えるのに好適な養豚用給餌器に関する。
【０００２】
【従来の技術】
従来の養豚用給餌器はいずれも、給餌槽下部を漸次縮径又は幅狭としていたので、重力により餌を自然落下させるものにあっては、給餌槽下部の餌がブリッジ状になり易く、給餌槽下端の給餌口から餌が排出されない虞れがあった。
又、給餌槽内に攪拌器を設けて餌の落下を助長するものにあっては、餌がブリッジ状になるのをかなりの程度防止できるが、動力源が必要となるとともに、給餌槽内の清掃が面倒であった。
【０００３】
このような問題点を解消すべく、図４に示すように、下方に向かって漸次縮径し、下端部を同径円筒状とした給餌槽１０２を設け、餌受台１０３の後壁部１０４の上端部に立設した支持杆１０５に嵌挿して移動杆１０６を設け、移動杆１０６の中間部に後端部を固着し、前方に延出したコ字状の支持部材１０７を設け、支持部材１０７の先端部にピン１０８により給餌槽１０２の中間部を支持した養豚用給餌器１０１が開発されている。
又、この養豚用給餌器１０１は、後端部を餌受台１０３の後壁部１０４に固定し、円環状部１０９ａに給餌槽１０２の下端部を位置させた揺動規制部材１０９を設け、給餌槽１０２の下端部まで到達し、下半部にコ字状の攪拌部材１１０ａを複数固定したブリッジ防止杆１１０を設けてある。
【０００４】
この養豚用給餌器１０１では、豚が鼻、口により給餌槽１０２の下端部を押圧すると、給餌槽１０２がピン１０８を支点として前後に揺動するから、給餌槽１０２内の餌が振動して、下端開口１０２ａから餌受台１０３の底皿部１１１へと排出される。
又、給餌槽１０２が前後に揺動するから、ブリッジ防止杆１１０によって給餌槽１０２内の餌が攪拌され、ブリッジ状となることはない。
【０００５】
【発明が解決しようとする課題】
しかし、上記養豚用給餌器１０１は、給餌槽１０２をピン１０８により支持しているため、給餌槽１０２の支持は不安定であり、豚が給餌槽１０２に衝撃を与えることにより、ピン１０８又は支持部材１０７が破損し易い。そのため、豚が給餌槽１０２に衝撃を与えることができないよう、給餌槽保護部材１１２を設ける必要があった。
又、給餌槽１０２をピン１０８により支持しているため、給餌槽１０２及び収容した餌の重量がピン１０８及び支持部材１０７に集中的に負荷され、ピン１０８及び支持部材１０７の摩耗が早い。
【０００６】
給餌槽１０２の中間部をピン１０８により支持しているため、給餌槽１０２が揺動した時に、給餌槽１０２の下端部が後方に傾斜して静止し、定位置に戻らなくなり、餌が下端開口１０２ａから排出されないこともあった。
又、給餌槽１０２の下端開口１０２ａと底皿部１１１の隆起部１１１ａとの間隙から餌を排出するようになっているが、隆起部１１１ａが平坦で、かつ間隙が狭小であるため、隆起部１１１ａの周囲の底皿部１１１にも餌が流動し、水と混合して凝固し、下端開口１０２ａを閉塞することもあった。
【０００７】
さらには、給餌槽１０２内の餌がブリッジ状となることを防止するため、ブリッジ防止杆１１０を設ける必要があり、支持部材１０７、ピン１０８、揺動規制部材１０９、給餌槽保護部材１１２等部品数が多いため、製造コストがかかるという問題点もあった。
【０００８】
本発明は、かかる従来の問題点に鑑みて為されたものであって、豚が給餌槽に衝撃を与えたとしても、支持部材が容易に破損することがなく、給餌槽及び収容した餌の重量によっても、支持部材が早期に摩耗することもない養豚用給餌器を提供することを目的とする。
又、給餌槽の下端部が必ず定位置に戻り、餌が凝固して下端開口を閉塞することなく、常に餌が下端開口から良好に排出され、特にブリッジ防止杆を必要としなくとも、給餌槽内の餌がブリッジ状となることを防止することができ、さらには、部品数が少なく、製造コストが安価な養豚用給餌器を提供することを目的とする。
【０００９】
【課題を解決するための手段】
上記目的を達成するために、本発明の養豚用給餌器は、下方に漸次縮径させた給餌槽本体と、下方に漸次拡径させた揺動体とからなる給餌槽を設け、前記給餌槽本体の上端部より垂下した餌量調整機構の支持杆の下端を前記揺動体に固着し、前記給餌槽本体の下端部を前記揺動体の上端部に挿入した状態で前記揺動体を垂下し、側壁部、後壁部及び底皿部を有する餌受台を設け、前記給餌槽本体を前記餌受台に固定するとともに、前記底皿部に形成した隆起部上に円錐状部と円板状部とからなる餌排出案内部材を固着し、前記円錐状部を前記揺動体の下端部に挿入してなる養豚用給餌器であって、豚が鼻、口で前記揺動体を押圧することによって、前記揺動体が前後左右に揺動するとともに、前記揺動体の上端部が前記給餌槽本体の下端部に衝突することを特徴とするものである。
【００１０】
【発明の実施の形態】
以下、本発明の養豚用給餌器の好適な実施形態について、図面を参照して説明する。
【００１１】
本発明の養豚用給餌器１は、図１に示すように、下方に向かって漸次縮径させた給餌槽本体３と、下方に向かって漸次拡径させた揺動体４とからなる給餌槽２を設けてあり、給餌槽本体３の上端開口を餌投入口３ａ、揺動体４の下端開口４ａを餌排出口４ａとしてある。
給餌槽２の上端前部と上端後部間に支持棒５を架設し、支持棒５の中間部に餌量調整機構６の案内筒体７を固定し、支持杆８が給餌槽２の中心に垂下されるようにしてある。そして、支持杆８の下端部に形成した分岐杆部８ａ，８ａの先端を前記揺動体４の内壁面に固着し、給餌槽本体３の下端部を揺動体４の上端部に挿入した状態で揺動体４を垂下してある。
【００１２】
側壁部１０，１０、後壁部１１、後壁部１１の上端に接続した上壁部１２、及び後壁部１１の中間部に接続した底皿部１３からなる餌受台９を設けてあり、上壁部１２に固定した水平支持板１４に給餌槽本体３の中間部外周面を固着し、底皿部１３の前端より立設した垂直支持板１５の上端部に給餌槽本体３の上端部を固定することにより、給餌槽本体３を強固に支持してある。
又、底皿部１３の中央部は隆起部１３ａとしてあり、この隆起部１３ａ上に円錐状部１６ａと円板状部１６ｂとからなる餌排出案内部材１６を固着し、円錐状部１６ａを前記揺動体４の下端部に挿入した状態としてある。
【００１３】
餌量調整機構６は、図３に示すように、案内溝７ａを形成した案内筒体７内にボルト１７を挿通させ、支持杆８の上端部に固着したナット１８をボルト１７に螺合させるとともに、支持杆８の上端を屈曲部８ｂとし、屈曲部８ｂを前記案内溝７ａ内に位置させる、ボルト１７が回転することにより、支持杆８が回転することなく上下移動するようになっている。
又、中央部に挿通孔１９ａを、周辺部に適宜間隔で切欠部１９ｂ，１９ｂ，・・・を形成した係止板１９を前記案内筒体７の上端に固着し、係止板１９の挿通孔１９ａに前記ボルト１７の上端部を挿通させ、係止板１９の下面においてボルト１７にナツト２０を螺合するとともに、ボルト１７の頭部１７ａに把持部材２１の円筒状部材２２を固着してある。
【００１４】
把持部材２１は、円筒状部材２２にカギ状屈曲棒２３の基端部２３ａを挿通したものであり、カギ状屈曲棒２３は、基端部２３ａに対して略直角に折曲して長い腕杆部２３ｂを接続し、この腕杆部２３ｂに対して略直角に折曲して短い先端部２３ｃを接続してある。
そして、図３に示すように、カギ状屈曲棒２３の腕杆部２３ｂを垂下状態とすることにより、腕杆部２３ｂを容易に係止板１９の切欠部１９ｂに位置できるようにして、ボルト１７が回転しないようにしてある。
【００１５】
本発明の養豚用給餌器１は、以上のような構成であり、以下のように使用することによって、所期の作用を奏する。
【００１６】
先ず、図３（Ａ）に示すように、カギ状屈曲棒２３の腕杆部２３ｂを上方に回動させて雌伏状態とし、先端部２３ｃを直立状態とし、先端部２３ｃを摘んで回動することにより、支持杆８を上下移動させ、揺動体４の餌排出口４ａと餌排出案内部材１６の円板状部１６ｂとの間隙を適宜設定し、底皿部１３へ排出される餌の量を調整する。
その後、図３（Ａ）に示すように、カギ状屈曲棒２３の腕杆部２３ｂを下方に回動させ、垂下状態とすることにより、腕杆部２３ｂを係止板１９の切欠部１９ｂに位置させ、豚が鼻、口等で揺動体４を激しく揺動しても把持部材２１が勝手に回動しないようにしておく。
【００１７】
本発明の養豚用給餌器１では、給餌槽本体３内の餌は揺動体４内に流下し、餌排出案内部材１６の円錐状部１６ａに沿って流動し、餌排出口４ａと円板状部１６ｂとの間隙からスムーズに排出され、円板状部１６ｂ上に適量堆積する。そして、円板状部１６ｂの餌が減少した場合には、給餌槽本体３内の餌が自重により順次排出され、円板状部１６ｂ上に適量堆積する。
又、豚が底皿部１３内に鼻、口を突っ込み、図２に示すように、揺動体４に鼻、口を押圧すれば、揺動体４はボルト１７の頭部１７ａを支点として前後左右に揺動するとともに、揺動体４の上端部が給餌器本体３の下端部に衝突するから、給餌槽本体３内の餌が振動して、よりスムーズに排出され、餌排出案内部材１６の円板状部１６ｂ、底皿部１３の隆起部１３ａ上に適量堆積する。
【００１８】
本発明の養豚用給餌器１は、給餌槽本体３を餌受台９に固定した水平支持板１４及び垂直支持板１５により強固に、安定した状態で支持してあるから、豚が給餌槽本体３に衝撃を与えても、支持部材が簡単に破損することはない。
又、給餌槽本体３及び収容した餌の重量は餌受台９全体に負荷されることになるから、支持部材が早期に摩耗することもない。
【００１９】
揺動体４はボルト１７の頭部１７ａ、すなわち給餌槽本体３の上端を支点として揺動するから、揺動体４が後方に傾斜して静止し、定位置に戻らなくなるということはなく、常に餌排出口４ａから餌がスムーズに排出される。
又、底皿部１３の隆起部１３ａ上に餌排出案内部材１６を固着し、餌排出口４ａから餌が円板状部１６ｂ上に適量堆積するようにしたから、餌が水と混合して凝固し、餌排出口４ａを閉塞することもない。
さらに、揺動体４を下方に向かって漸次拡径させるとともに、給餌槽本体３の下端部を揺動体４の上端部に挿入してあり、揺動体４の上端部が給餌器本体３の下端部に衝突して給餌槽本体３内の餌を振動させるから、給餌槽本体３内の餌がブリッジ状となることはない。
【００２０】
上記構成及び作用によって、従来の養豚用給餌器１０１のように、ブリッジ防止杆、揺動規制部材、給餌槽保護部材等を設ける必要がないから、部品数は大幅に減少し、製造コストも安価となる。
【図面の簡単な説明】
【図１】本発明の養豚用給餌器の（Ａ）は正面断面図、（Ｂ）は側面断面図である。
【図２】本発明の養豚用給餌器の揺動体の動作を示す説明図である。
【図３】本発明の養豚用給餌器の餌量調整機構の（Ａ）は平面図、（Ｂ）は正面断面図である。
【図４】従来の養豚用給餌器の（Ａ）は正面断面図、（Ｂ）は側面断面図である。
【符号の説明】
１  養豚用給餌器
２  給餌槽
３  給餌槽本体
４  揺動体
６  餌量調整機構
８  支持杆
９  餌受台
１０  側壁部
１１  後壁部
１３  底皿部
１３ａ  隆起部
１６  餌排出案内部材
１６ａ  円錐状部
１６ｂ  円板状部
【図１】
0003988907.tif 000002
【図２】
0003988907.tif 000003
【図３】
0003988907.tif 000004
【図４】
0003988907.tif 000005